(57)【要約】【課題】高い防水性と外観性を確保することができるスイッチ装置を提供すること。【解決手段】ロータリスイッチ機構を操作する回転ノブ２の中央に、プッシュスイッチ機構を操作する操作ノブ４を設け、回転ノブ２，３と操作ノブ４の各操作がロータ５，６及び操作ロッド７を介してスイッチボディ８内に収容されたロータリスイッチ機構とプッシュスイッチ機構にそれぞれ伝達されるよう構成されたスイッチ装１置において、前記回転ノブ２を、操作ノブ４を保持するグリップ部２Ａと、前記ロータ５が挿入される貫通孔２ａが形成されたベース部２Ｂとで構成し、操作ノブ４に一端が取り付けられ、他端が回転ノブ２の貫通孔２ａの周縁に固定された防水部材２３を回転ノブ２内に設け、操作ノブ４と回転ノブ２及び防水部材２３によって操作ユニット３０を構成し、該操作ユニット３０を回転ノブ２の貫通孔２ａを介してロータ５に取り付ける。【選択図】図１
2012033357.tif 000002
【特許請求の範囲】
【請求項１】
ロータリスイッチ機構を操作する回転ノブの中央に、プッシュスイッチ機構を操作する操作ノブを設け、前記回転ノブと前記操作ノブの各操作が軸部を介してスイッチボディ内に収容された前記ロータリスイッチ機構と前記プッシュスイッチ機構にそれぞれ伝達されるよう構成されたスイッチ装置において、
前記回転ノブを、前記操作ノブを保持するグリップ部と、前記軸部が挿入される貫通孔が形成されたベース部とで構成し、
前記操作ノブに一端が取り付けられ、他端が前記回転ノブの貫通孔の周縁に固定された防水部材を前記回転ノブ内に設け、
前記操作ノブと前記回転ノブ及び前記防水部材によって操作ユニットを構成し、該操作ユニットを前記回転ノブの貫通孔を介して前記軸部に取り付けたことを特徴とするスイッチ装置。
【請求項２】
前記軸部を、前記回転ノブが取り付けられる回転軸部と、前記操作ノブが取り付けられる摺動軸部とで構成し、前記摺動軸部を前記回転軸部の内部を貫通して配設したことを特徴とする請求項１記載のスイッチ装置。
【請求項３】
前記防水部材の前記回転ノブへの固定を、前記回転ノブのベース部に形成された貫通孔の周縁と前記グリップ部とで防水部材の他端を挟持することによって行うことを特徴とする請求項１又は２記載のスイッチ装置。
【請求項４】
前記回転ノブのグリップ部の固定部と前記ベース部に孔部をそれぞれ形成するとともに、前記グリップ部又は前記ベース部の何れか一方の孔部は、他方の孔部に嵌合する突部に連接して設けられ、前記突部が他方の孔部に嵌合することによって、前記各孔部が連通して間隙部が形成されることを特徴とする請求項１〜３の何れかに記載のスイッチ装置。
【請求項５】
前記操作ノブに、前記回転ノブのグリップ部に形成された挿通孔を貫通して突出する操作部と、前記挿通孔よりも大径に形成され、前記回転ノブ内で前記グリップ部の内面に当接して当該操作ノブの抜け止めを図るフランジ部を設け、該フランジ部に前記防水部材の一端を取り付けたことを特徴とする請求項１〜４の何れかに記載のスイッチ装置。
【発明の詳細な説明】
【技術分野】
【０００１】
本発明は、ロータリスイッチ機構とプッシュスイッチ機構を複合して１つのボディに内蔵して成るスイッチ装置に関するものである。
【背景技術】
【０００２】
従来、車両のヘッドランプやサイドランプを点灯させるための複数のスイッチ機能が備えられているコンビネーションスイッチには、ロータリスイッチ機構とプッシュスイッチ機構を複合して１つのボディ（スイッチケース）に内蔵して成るものがある。
【０００３】
スイッチ装置に関して、例えば特許文献１には、作動軸と共に回動するロータに保持された接点板と第１のターミナルベースの接点によって間欠駆動と低速駆動及び高速駆動の切替位置を選択する３つの切替スイッチを形成するとともに、ロータの接点板と第１のターミナルベースの抵抗膜によって可変抵抗を形成し、第２のターミナルベースの接点と操作軸の押圧部によって押圧される可動体に保持された接点板によってウォッシャスイッチを形成することによって小型化を図ったワイパースイッチのような複合スイッチの構成が提案されている。
【先行技術文献】
【特許文献】
【０００４】
【特許文献１】実公平７−０４３９０５号公報
【特許文献２】特開２０００−０９０７８１号公報
【発明の概要】
【発明が解決しようとする課題】
【０００５】
ところで、特にトラクタ等の農業機械に採用されるコンビネーションスイッチは雨水に晒されることが多いため、斯かるスイッチ装置には高い防水性を有する必要がある他、自動車に採用されるものよりもコンパクトな構造とすることが望まれている。
【０００６】
雨水に晒されるスイッチ装置に高い防水性を確保するため、例えば特許文献２において提案されているように、蛇腹状の防水部材を操作ノブとスイッチ装置の外面との間に設けるようにすることが考えられているが、このような構成では、スイッチ装置が大型化する他、外観性が悪く、スイッチ装置の操作機構の配置が限定されてしまうという問題がある。
【０００７】
本発明は上記問題に鑑みてなされたもので、その目的とする処は、高い防水性と外観性を確保するとともに、機能性の向上を図ることができるスイッチ装置を提供することにある。
【課題を解決するための手段】
【０００８】
上記目的を達成するため、請求項１記載の発明は、ロータリスイッチ機構を操作する回転ノブの中央に、プッシュスイッチ機構を操作する操作ノブを設け、前記回転ノブと前記操作ノブの各操作が軸部を介してスイッチボディ内に収容された前記ロータリスイッチ機構と前記プッシュスイッチ機構にそれぞれ伝達されるよう構成されたスイッチ装置において、
前記回転ノブを、前記操作ノブを保持するグリップ部と、前記軸部が挿入される貫通孔が形成されたベース部とで構成し、
前記操作ノブに一端が取り付けられ、他端が前記回転ノブの貫通孔の周縁に固定された防水部材を前記回転ノブ内に設け、
前記操作ノブと前記回転ノブ及び前記防水部材によって操作ユニットを構成し、該操作ユニットを前記回転ノブの貫通孔を介して前記軸部に取り付けたことを特徴とする。
【０００９】
請求項２記載の発明は、請求項１記載の発明において、前記軸部を、前記回転ノブが取り付けられる回転軸部と、前記操作ノブが取り付けられる摺動軸部とで構成し、前記摺動軸部を前記回転軸部の内部を貫通して配設したことを特徴とする。
【００１０】
請求項３記載の発明は、請求項１又は２記載の発明において、前記防水部材の前記回転ノブへの固定を、前記回転ノブのベース部に形成された貫通孔の周縁と前記グリップ部とで防水部材の他端を挟持することによって行うことを特徴とする。
【００１１】
請求項４記載の発明は、請求項１〜３の何れかに記載の発明において、前記回転ノブのグリップ部の固定部と前記ベース部に孔部をそれぞれ形成するとともに、前記グリップ部又は前記ベース部の何れか一方の孔部は、他方の孔部に嵌合する突部に連接して設けられ、前記突部が他方の孔部に嵌合することによって、前記各孔部が連通して間隙部が形成されることを特徴とする。
【００１２】
請求項５記載の発明は、請求項１〜４の何れかに記載の発明において、前記操作ノブに、前記回転ノブのグリップ部に形成された挿通孔を貫通して突出する操作部と、前記挿通孔よりも大径に形成され、前記回転ノブ内で前記グリップ部の内面に当接して当該操作ノブの抜け止めを図るフランジ部を設け、該フランジ部に前記防水部材の一端を取り付けたことを特徴とする。
【発明の効果】
【００１３】
請求項１記載の発明によれば、操作ノブと回転ノブ及び防水部材によって操作ユニットを構成し、該操作ユニットを回転ノブの貫通孔を介して軸部に取り付けることにより、軸部と操作ユニット間への浸水を操作ユニット体内に配置された防水部材によって確実に防ぐことができる。
【００１４】
請求項２記載の発明によれば、軸部を回転軸部と摺動軸部とで構成し、回転ノブが取り付けられる回転軸部内に操作ノブが取り付けられる摺動軸部が貫通して配設されるため、回転軸部と摺動軸部間への浸水を操作ユニットに軸部を取り付けるだけで、操作ユニット内に配置された防水部材によって防ぐことができる。そのため、Ｏリング等のシール部材を配設しなくても高い防水性を確保することができ、操作ノブの操作性が低下することがない。
【００１５】
請求項３記載の発明によれば、防水部材の回転ノブへの固定を、回転ノブのベース部に形成された貫通孔の周縁とグリップ部とで防水部材の鍔部を挟持することによって該防水部材の鍔部（他端）を回転ノブに固定したため、防水部材の両端部の浮きを防止して、当該スイッチ装置内への浸水を確実に防ぐことができる。
【００１６】
請求項４記載の発明によれば、回転ノブのグリップ部をベース部に嵌合させることによって、突部に連接して形成された一方の孔部と突部が嵌合する他方の孔部が連通することによって形成される間隙部を排水経路とすることができ、特別に排水経路を設ける必要がないため、スイッチ装置の構成を簡素化することができる。
【００１７】
請求項５記載の発明によれば、回転ノブの内部に収容される操作ノブのフランジ部に防水部材の一端を取り付ける構成を採用したため、スイッチ装置の外部に蛇腹状の防水部材を配置して操作ノブを覆う必要がなく、又、操作ノブ自体をゴム製とする必要がないため、スイッチ装置の操作機構が限定されることなくスイッチ機構を」構成することが可能となり、スイッチ装置の外観性も高めることができる。
【図面の簡単な説明】
【００１８】
【図１】本発明に係るスイッチ装置の縦断面図である。
【図２】図１のＡ−Ａ線断面図である。
【図３】図２のＢ部拡大詳細図である。
【図４】本発明に係るスイッチ装置の分解斜視図である。
【図５】本発明に係るスイッチ装置の第１の回転ノブの操作系の構成を示す斜視図である。
【図６】本発明に係るスイッチ装置の第２の回転ノブの操作系の構成を示す斜視図である。
【図７】本発明に係るスイッチ装置のスライダを示す図であって、（ａ）は内面図、（ｂ）は外面図、（ｃ）は（ａ）のＣ−Ｃ線断面図である。
【図８】本発明に係るスイッチ装置の第１のベース部材を示す図であって、（ａ）は内面図、（ｂ）は外面図、（ｃ）は（ｂ）のＤ−Ｄ線断面図である。
【図９】本発明に係るスイッチ装置の第２のベース部材を示す図であって、（ａ）は内面図、（ｂ）は外面図、（ｃ）は（ｂ）のＥ−Ｅ線断面図である。
【図１０】本発明に係るスイッチ装置のスライドベースを示す図であって、（ａ）は平面図、（ｂ）は（ａ）のＦ−Ｆ線断面図である。
【図１１】本発明に係るスイッチ装置の第１のロータを示す図であって、（ａ）は平面図、（ｂ）は正面図、（ｃ）は側面図、（ｄ）は（ｂ）のＧ−Ｇ線断面図である。
【図１２】本発明に係るスイッチ装置の第２のロータを示す図であって、（ａ）は平面図、（ｂ）は正面図、（ｃ）は側面図、（ｄ）は（ｂ）のＨ−Ｈ線断面図である。
【図１３】本発明に係るスイッチ装置の第１及び第２の回転ノブの操作角度を示す平面図である。
【発明を実施するための形態】
【００１９】
以下に本発明の実施の形態を添付図面に基づいて説明する。
【００２０】
図１は本発明に係るスイッチ装置の縦断面図、図２は図１のＡ−Ａ線断面図、図３は図２のＢ部拡大詳細図、図４は同スイッチ装置の分解斜視図、図５は第１の回転ノブの操作系の構成を示す斜視図、図６は第２の回転ノブの操作系の構成を示す斜視図、図７はスライダを示す図であって、（ａ）は内面図、（ｂ）は外面図、（ｃ）は（ａ）のＣ−Ｃ線断面図、図８は第１のベース部材を示す図であって、（ａ）は内面図、（ｂ）は外面図、（ｃ）は（ｂ）のＤ−Ｄ線断面図、図９は第２のベース部材を示す図であって、（ａ）は内面図、（ｂ）は外面図、（ｃ）は（ｂ）のＥ−Ｅ線断面図、図１０はスライドベースを示す図であって、（ａ）は平面図、（ｂ）は（ａ）のＦ−Ｆ線断面図、図１１は第１のロータを示す図であって、（ａ）は平面図、（ｂ）は正面図、（ｃ）は側面図、（ｄ）は（ｂ）のＧ−Ｇ線断面図、図１２は第２のロータを示す図であって、（ａ）は平面図、（ｂ）は正面図、（ｃ）は側面図、（ｄ）は（ｂ）のＨ−Ｈ線断面図、図１３は第１及び第２の回転ノブの操作角度を示すスイッチ装置の平面図である。
【００２１】
本実施の形態に係るスイッチ装置１は、ハザードスイッチ機能とライトスイッチ機能及びフラッシャスイッチ機能の３つの機能を備えたコンビネーションスイッチであって、例えばトラクタ等の農業用機械に設置されるものである。
【００２２】
図１に示すように、本実施の形態に係るスイッチ装置１は、同軸上に配された上下２段の第１の回転ノブ２と第２の回転ノブ３及び第１の回転ノブ２の中央に配された操作ノブ４を備えており、第１の回転ノブ２と第２の回転ノブ３は同軸上に配された軸部である第１のロータ５と第２のロータ６の各上端部に結着されている。又、操作ノブ４は押圧操作されるものであって、その中心部から下方に向かって垂直に延びる軸部としての操作ロッド（プッシュロッド）７はスイッチボディ８内に収容されたスライダ９に連結されている。
【００２３】
ここで、第１の回転ノブ２は、操作ノブ４を保持するグリップ部２Ａと、前記第１のロータ５が挿入される貫通孔２ａが形成されたベース部２Ｂで構成されている。又、前記操作ノブ部４は、第１の回転ノブ２のグリップ部２Ａの中央に形成された挿通孔２ｂを貫通して上方に突出する操作部４Ａと、そのグリップ部２Ａに形成された挿通孔２ｂよりも大径に形成され、第１の回転ノブ２内でグリップ部２Ａに当接することによって当該操作ノブ４の抜けを防ぐフランジ４Ｂを有している。尚、図１において、４ｂは操作ロッド７が嵌合するロッド連結部、４ｃはそのロッド連結部４ｂを径方向に付勢して操作ロッド７の連結状態を補助するコイルスプリングである。
【００２４】
前記スイッチボディ８は二重筒状に成形され、その上面の中心部には円筒部８ａが上方に向かって一体に立設され、該スイッチボディ８の下面の開口部はカバー１０によって塞がれており、カバー１０の中央には下方に向かって延びる角筒状のコネクタ接続部１０ａが一体に形成されている。そして、スイッチボディ８内には、略有底筒状のスライドベース１１が前記スイッチボディ８の内壁に嵌合する状態で収容されており、図１０に示すように、スライドベース１１の上壁の略中心部には矩形のスライド挿入孔１１ａが形成され、その両側には矩形の開口部１１ｂがそれぞれ形成されている。
【００２５】
図１に示すように、上記スライドベース１１内の略中央には、前記操作ロッド７の下端に連結された前記スライダ９がスライドベース１１の前記スライド挿入孔１１ａを貫通して上下動可能に収容されており、その両側には図１の紙面垂直方向に長い第１のベース部材１２と第２のベース部材１３が配され、これらの第１及び第２のベース部材１２，１３の外側であって、且つ、スライドベース１１の内面部との間には第１のスライド部材１４と第２のスライド部材１５が図１の紙面垂直方向に摺動可能に配されている。
【００２６】
上述のようにスライドベース１１内には、スライダ９、第１及び第２のベース部材１２，１３、第１及び第２のスライド部材１４，１５が収容されているが、スライダ９は、第１及び第２のベース部材１２，１３の相対向する内面によって挟まれる空間に配置されている。そして、このスライダ９と操作ロッド７及び操作ノブ４は、スライダ９とカバー１０との間に縮装されたスプリング１６によって常時上方に付勢されている。
【００２７】
ここで、上記スライダ９の第１のベース部材１２の内面に対向する側には、図７（ｂ）に示すように、軸１７に巻装されたカムスプリング１８が設けられており、このカムスプリング１８の一端は当該スライダ９に係止され、他端（自由端）は第１のベース部材１２側に向かって屈曲する係合部１８ａ（図７（ｃ）参照）を構成している。又、スライダ９の第２のベース部材１３の内面に対向する面には、図７（ａ），（ｃ）に示すように、３つのフラッシャ用端子１９が横方向に適当な間隔で配置されている。
【００２８】
又、前記第１のベース部材１２のスライダ９に対向する内面には、図８（ａ）に示すように、カム部であるカム溝１２ａが形成されており、このカム溝１２ａにはスライダ９に設けられた前記カムスプリング１８の係合部１８ａが係合している。これらのカムスプリング１８とカム溝１２ａは、操作ノブ４の操作位置を保持するカム機構を構成しており、このカム機構によってオルタネイト型（プッシュオン・プッシュオフ型）のプッシュスイッチ機構が構成されている。即ち、操作ノブ４を一度押すと、該操作ノブ４は押し込まれた位置に保持され、次に操作ノブ４を押すと該操作ノブ４はスプリング１６の付勢力によって元の位置に戻る。
【００２９】
そして、第１のベース部材１２の第１のスライド部材１４に対向する外面には、図８（ｂ）に示すように、第１のスライド部材１４の摺動に連動して切り替えられるライトスイッチ回路２０が設けられている。尚、このライトスイッチ回路２０は、不図示のヘッドランプの点灯のＯＮ／ＯＦＦ、Ｈｉビーム及びＬｏビームの切り替えを行うためのものである。
【００３０】
前記第２のベース部材１３のスライダ９に対向する内面には、図９（ａ）に示すように、スライダ９の上下の摺動に連動して切り替えられるハザードスイッチ回路２１が設けられている。又、第２のベース部材１３の第２のスライド部材１５に対向する外面には、図９（ｂ），（ｃ）に示すように、第２のスライド部材１５の軸直角方向の摺動に連動して切り替えられるフラッシャスイッチ回路２２が設けられている。尚、フラッシャスイッチ回路２２は、不図示の左右のフラッシャランプの一方を選択的に点滅させるためのものである。
【００３１】
ところで、図１、図２及び図４に示すように、第１の回転ノブ２のグリップ部２Ａの内部には、グリップ部２Ａと共に一体に回転する前記ベース部２Ｂが設けられており、該ベース部２Ｂの中心部に垂直に立設された円筒部２ｃの外周には操作ノブ４が上下動可能にガイドされて嵌合している。そして、第１の回転ノブ２のグリップ部２Ａとベース部２Ｂによって画成される空間内には円筒蛇腹状の防水部材２３が配置されており、この防水部材２３の上端内周部は操作ノブ４の外周に形成された凹溝４ａに嵌着されている。
【００３２】
更に、防水部材２３の下端外周に形成された鍔部２３ａはベース部２Ｂの内底面上に載置され、第１の回転ノブ２の上壁内面から垂直下方に向かって形成された円筒状の押圧リブ２ｄとベース部２Ｂによって挟持されている。そのため、操作ノブ４は、防水部材２３の付勢力によって、操作ロッド７に嵌合されていない状態でも、グリップ部２Ａの挿通孔２ｂから突出するように構成される。尚、防水部材２３の上端内周部を操作ノブ４の凹溝４ａに嵌着したときにフランジ部４Ｂと略面一となるように下側よりも上側のフランジ部４Ｂを大径とすることが好ましい。このように構成することによって、高圧洗浄による水圧が掛かった場合でも防水部材２３の上端内周部が凹溝４ａから外れることを防止することができる。
【００３３】
而して、前記第１のロータ５は、第１の回転ノブ２のベース部２Ｂの円筒部２ｃの内部に挿通嵌着され、その上端部外周には前述のように操作ノブ４が上下動可能に嵌合している。これにより、この嵌合部は防水部材２３によって覆われてシールされるため、操作ノブ４と挿通孔２ｂとの隙間から浸入した水はその嵌合部に到達できず、更に操作ロッド７が貫通している第１のロータ５のロッド挿通孔５ｃにも到達できない。そのため、第１のロータ５と第１の回転ノブ２のベース部２Ｂの円筒部２ｃとの嵌合部及び第１のロータ５の操作ロッド７が貫通するロッド挿通孔５ｃへの水の浸入を防ぐことができる。これにより、操作ロッド７とロッド挿通孔５ｃとの間にはＯリング等のシール部材を介在させる必要がないため、操作ノブ４の操作性を低下させることなく、高い防水性を達成することができる。尚、図１において、２４は第１のロータ５と第２のロータ６、第１のロータ５と第１の回転ノブ２のベース部２Ｂの貫通孔２ａ及びスイッチボディ８と第２のロータ６の嵌合箇所からの水の浸入を更に防止するためのシール部材としてのＯリングである。
【００３４】
本実施の形態では、図１及び図２に示すように、操作ノブ４と第１の回転ノブ２及び防水部材２３によって操作ユニット３０が構成されており、該操作ユニット３０は、第１の回転ノブ２（ベース部２Ｂ）の貫通孔２ａを介して前記第１のロータ５の上端部外周に取り付けられている。
【００３５】
ところで、本実施の形態では、図２及び図３に示すように、第１の回転ノブ２に形成された前記押圧リブ２ｄとベース部２Ｂの相対向する周方向２箇所には孔部２ｅ，２ｆがそれぞれ形成されており、そのベース部２Ｂの孔部２ｆの上方には係合爪状の突部２ｇが形成されている。そして、２つの突部２ｇが押圧リブ２ｄの２つの孔部２ｅにそれぞれ嵌合することによって、第１の回転ノブ２を構成するベース部２Ｂがグリップ部２Ａに結合一体化される。そして、２つの突部２ｇが押圧リブ２ｄの２つの孔部２ｅにそれぞれ嵌合することによって、第１の回転ノブ２を構成するベース部２Ｂがグリップ部２Ａに結合一体化される。このように互いに係合する各突部２ｇに連接して形成された孔部２ｆと各孔部２ｅとが連通することにより、図示のように間隙部δがけ形成されるように構成している。即ち、第１の回転ノブ２を構成するベース部２Ｂとグリップ部２Ａとを一体的に嵌合させるために形成される孔部２ｅ，２ｆを利用して第１の回転ノブ２内に浸入した水を排水するための排水経路を形成している。
【００３６】
尚、本実施の形態では、突部２ｇをベース部２Ｂ側に形成したが、押圧リブ２ｄ側に突部２ｄを形成し、この突部２ｇをベース２Ｂ側の孔部２ｆに嵌合させる構成を採用しても良い。又、防水部材２３の下端外周に形成された鍔部２３ａの一部に蛇腹部から鍔部２３ａの先端にかけて連通した凹状の排水溝を形成するか、円筒状の押圧リブ２ｄの一部に排水用の切欠部を形成しても良い。このように構成すれば、円筒状の押圧リブ２ｄとベース部２Ｂによって挟持されていても、鍔部２３ａに堆積した水も排出することができる。更に、突部２ｇの傾斜面に付着した水が孔部２ｆに向かって流れるように傾斜角度を設定することが好ましい。
【００３７】
次に、第１及び第２のロータ５，６の構成について説明する。
【００３８】
図１に示すように、第１のロータ５と第２のロータ６は、スライドベース１１の外部において同軸上に相対回転可能に配置されており、第１のロータ５は、図１１に示すように、上下方向に延びる円筒状の軸筒部５Ａと、該軸筒部５Ａの下端に形成されたクランク状のアーム部５Ｂとで構成されており、軸筒部５Ａの内部には操作ロッド７が挿通する操作ロッド相通孔５ｃが形成されている（図１参照）。
【００３９】
第１のロータ５の上記アーム部５Ｂの上面には波形の複数の係合溝５ａが形成され、下面にはピン５ｂが垂直下方に向かって一体に突設されている。図１に示すように、第１のロータ５のアーム部５Ｂはスイッチボディ８内に収容されており、該アーム部５Ｂに形成された係合溝５ａの１つには、スプリング２５によって付勢されたスチールボール２６が係合している。ここで、係合溝５ａとこれに係合するスチールボール２６及び該スチールボール２６を付勢するスプリング２５はクリック機構を構成しており、このクリック機構によって第１の回転ノブ２の回転にクリック感が付与される。
【００４０】
又、図５に示すように、第１のロータ５のアーム部５Ｂに形成された前記ピン５ｂは、図１０に示すスライドベース１１に形成された開口部１１ｂを貫通してスライドベース１１内に臨んでおり、このピン５ｂは、スライドベース１１の内部に収容された前記第１のスライド部材１４の上面に平行に立設された一対のガイドリブ１４ａ間に係合している。これによって第１の回転ノブ２によって操作される第１のロータ５の回転は、第１のスライド部材１４の軸直角方向の直線的な摺動に変換される。
【００４１】
他方、第２のロータ６は、図１２に示すように、上下方向に延びる円筒部６Ａと、該円筒部６Ａの下端に形成されたクランク状のアーム部６Ｂとで構成されている。ここで、第２のロータ６の円筒部６Ａは第１のロータ５の軸筒部５Ａよりも大径であって、その内部に第１のロータ５が挿通することによって第２のロータ６が第１のロータ５の軸筒部５Ａによって回転可能に軸支されている（図１参照）。
【００４２】
第２のロータ６の前記アーム部６Ｂの上面には波形の複数の係合溝６ａが形成され、下面にはピン６ｂが垂直下方に向かって一体に突設されている。図１に示すように、第２のロータ６のアーム部６Ｂはスイッチボディ８内に収容されており、該アーム部８Ｂに形成された係合溝６ａの１つには、スプリング２７によって付勢されたスチールボール２８が係合している。ここで、係合溝６ａとこれに係合するスチールボール２８及び該スチールボール２８を付勢するスプリング２７はクリック機構を構成しており、このクリック機構によって第２の回転ノブ３の回転にクリック感が付与される。
【００４３】
又、図６に示すように、第２のロータ６のアーム部６Ｂに形成された前記ピン６ｂは、図８に示すスライドベース１１に形成された開口部１１ｂを貫通してスライドベース１１内に臨んでおり、このピン６ｂは、スライドベース１１の内部に収容された前記第２のスライド部材１５の上面に平行に立設された一対のガイドリブ１５ａ間に係合している。これによって第２の回転ノブ３によって操作される第２のロータ６の回転は、第２のスライド部材１５の軸直角方向の直線的な摺動に変換される。即ち、本実施の形態に係るスイッチ装置１では、第１及び第２のベース部材１２，１３のプッシュスイッチ機構の反対の面にライトスイッチ回路２０とフラッシャスイッチ回路２２を配置し、プッシュスイッチ機構とは直交する方向に直線的に摺動するスライドスイッチ機構により、第１の回転ノブ２と第２の回転ノブ３によるスイッチ機構を構成している。そのため、スイッチボディ８の平面方向に第１の回転ノブ２によるロータリスイッチ機構と、第２の回転ノブ３によるロータリスイッチ機構をそれぞれ設けるよりも、ハザードスイッチ回路２１によって形成されるスペースを利用して、ライトスイッチ回路２０とフラッシャスイッチ回路２２の配置面を効率的に形成することができる。従って、複数のスイッチ回路を集約して配置することができるため、スイッチボディ８を小型化することが可能となる。
【００４４】
尚、図１に示すように、スイッチボディ８の上部に立設された円筒部８ａの外周には取付用ナット２９が螺合しており、この取付用ナット２９を締め付けることによって当該スイッチ装置１を所定の箇所に取り付けることができる。
【００４５】
次に、以上のように構成されたスイッチ装置１の作用について説明する。
【００４６】
本実施の形態に係るスイッチ装置１は、前述のようにハザードスイッチ機能とライトスイッチ機能及びフラッシャスイッチ機能の備えるものであって、例えばハザードランプを点滅させるには、操作ノブ４を１回だけ押し込む。すると、操作ノブ４の押し込みは操作ロッド７を経てスライダ９に伝達され、該スライダ９がスプリング１６の付勢力に抗して下方へと摺動し、これらの操作ノブ４と操作ロッド７及びスライダ９がカム機構によってその位置に保持され、スライダ９に設けられたフラッシャ用端子１９（図７（ａ），（ｂ）参照）が第２のベース部材１３の内面に設けられたフラッシャスイッチ回路２２と導通してハザードランプを点滅させる。
【００４７】
そして、上記状態から操作ノブ４を再度押し込むと、カム機構の作用によって該操作ノブ４と操作ロッド７及びスライダ９がスプリング１６の付勢力によって上動して図１に示す元の位置に戻されるため、スライダ９に設けられたフラッシャ用端子１９と第２のベース部材１５の内面に設けられたフラッシャスイッチ回路２２との導通が遮断され、ハザードランプの点滅が停止される。
【００４８】
又、第１の回転ノブ２を回すと、第１のロータ５が一体的に回転し、その回転は前述のように第１のスライド部材１４の軸直角方向（図１の紙面垂直方向）の摺動に変換されるため、該第１のスライド部材１４の摺動によって第１のベース部材１２の外面に設けられたライトスイッチ回路２０が切り替えられ、前述のようにヘッドランプの点灯のＯＮ／ＯＦＦ、Ｈｉビーム及びＬｏビームの切り替えが行われる。即ち、第１の回転ノブ２が図１３に示すＯＦＦ位置にあるときにはヘッドランプが消灯され、第１の回転ノブ２をＯＦＦ位置から図１３の時計方向に図示の角度α（本実施の形態では３０°）だけ回すとヘッドランプがＬｏビームに切り替えられ、そこから更に角度αだけ時計方向に回すとヘッドランプがＨｉビームに切り替えられる。尚、前述のように第１の回転ノブ２の回転にはクリック機構によってクリック感が付与される。
【００４９】
他方、第２の回転ノブ３を回すと、第２のロータ６が第１のロータ５の軸筒部５Ａを中心として一体的に回転し、その回転は前述のように第２のスライド部材１５の軸直角方向（図１の紙面垂直方向）の摺動に変換されるため、該第２のスライド部材１５の摺動によって第２のベース部材１５の外面に設けられたフラッシャスイッチ回路２２が切り替えられ、左右のフラッシャランプの点滅が切り替えられる。即ち、第２の回転ノブ３を中立位置Ｎから図１３に示す角度β（本実施の形態では２０°）だけ時計方向にＲ位置まで回すと右側のフラッシャランプが点滅し、中立位置Ｎから角度βだけ反時計方向にＬ位置まで回すと左側のフラッシャランプが点滅する。尚、前述のように第２の回転ノブ３の回転にもクリック機構によってクリック感が付与される。
【００５０】
以上において、本実施の形態では、操作ノブ４と第１の回転ノブ２及び防水部材２３によって操作ユニット３０を構成し、該操作ユニット３０を第１の回転ノブ２の貫通孔２ａを介して第１のロータ５の上端部外周に取り付けたため、操作ノブ４と挿通孔２ｂとの隙間から第１のロータ５と操作ユニット体３０の隙間への浸水を確実に防ぐことができる。
【００５１】
又、本実施の形態では、軸部を回転軸部である第１及び第２のロータ５，６と摺動軸部である操作ロッド７とで構成し、第１の回転ノブ２を第１のロータ５に取り付け、操作ノブ４を操作ロッド７に取り付けたため、操作ノブ４と挿通孔２ｂとの隙間から操作ロッド７とロッド挿通孔５ｃの隙間を介してスイッチボディ８内への浸水を操作ロッド７とロッド挿通孔５ｃ間にＯリング等のシール部材を配設しなくても防ぐことができる。そのため、操作ノブ４の操作性を低下させることなく、高い防水性を確保することができる。
【００５２】
更に、本実施の形態では、防水部材２３の第１の回転ノブ２への固定を、第１の回転ノブ２のベース部２Ｂの内底面とグリップ部２Ａに形成された押圧リブ２ｄとで防水部材２３の鍔部２３ａを挟持することによって該防水部材２３の鍔部（他端）２３ａを第１の回転ノブ２に固定したため、操作ユニット３０として組み立てたものを第１のロータ５に取り付けるだけで、操作ノブ４と第１のロータ５との隙間から当該スイッチ装置１内への浸水を確実に防ぐことができる。
【００５３】
そして、本実施の形態では、第１の回転ノブ２のグリップ部２Ａをベース部２Ｂに突部２ｇと孔部２ｅとの嵌合によって取り付ける際に突部２ｇに連接された孔部２ｆと孔部２ｅとが連通して形成される間隙部δ（図３参照）が排水経路を構成することにより、グリップ部２Ａとベース部２Ｂとの嵌合部が排水経路を兼用するため、操作ノブ４の構成を簡素化することができる。尚、図２に矢印にて排出経路を示すように、操作ノブ４と第１の回転ノブ２の挿通孔２ｂとの隙間から第１の回転ノブ２の内部に浸入した水は，押圧リブ２ｄに形成された２つの孔部２ｅとベース部２Ｂに形成された２つの孔２ｆを通過して第１の回転ノブ２の外部に排出される。
【００５４】
又、本実施の形態では、第１の回転ノブ２の内部に収容される操作ノブ４のフランジ部４Ｂに防水部材２３の一端を取り付ける構成を採用したため、スイッチ装置１の外部に蛇腹状の防水部材を配置して操作ノブ４を覆う必要がなく、又、操作ノブ４自体をゴム製とする必要がないため、スイッチ装置１の操作機構が限定されることなく、外観性も高められる。
【００５５】
その他、本実施の形態に係るスイッチ装置１においては、プッシュ操作されるスライダ９を２つに分割された第１及び第２のベース部材１２，１３の間の空間に配置するようにしたため、該スライダ９を操作位置に保持するためのカム機構を効率良く配置することができ、構造の大型化を招くことなくオルタネイト型のプッシュスイッチ機構を構成することができる。
【００５６】
又、第１及び第２のスライド部材１４，１５にライトスイッチ回路２０とフラッシャスイッチ回路２２の配置面を大きく取ることができるため、例えばスイッチ装置１を車両用として使用する場合には、ハザードスイッチ等のように２つのサイドランプを点滅させる回路を２つ配置することが可能となる。
【００５７】
更に、第１及び第２のベース部材１２，１３の外面を利用して、第１及び第２の回転ノブ２，３によってそれぞれ切り替えられるライトスイッチとフラッシャスイッチを構成することができるため、複数のスイッチ機能を備えたスイッチ装置１の小型化を図ることができる。
【００５８】
又、本実施の形態では、操作ノブ４の操作力をスライダ９に伝達する操作ロッド７を第１のロータ５内に挿通保持するとともに、第１のロータ５の軸筒部５Ａで第２のロータ６を回転可能に軸支し、操作ノブ４と第１及び第２のロータ５，６を同軸上に配置する構成を採用したため、スイッチ装置１の径方向寸法を小さく抑えてその小型化を図ることができるという効果が得られる。
【符号の説明】
【００５９】
１          スイッチ装置
２          第１の回転ノブ
２Ａ        第１の回転ノブのグリップ部
２Ｂ        第１の回転ノブのベース部
２ａ        第１の回転ノブの貫通孔
２ｂ        第１の回転ノブの挿通孔
２ｃ        ベース部の円筒部
２ｄ        第１の回転ノブの押圧リブ
２ｅ，２ｆ  第１の回転ノブの孔部
２ｇ        第１の回転ノブの突部
３          第２の回転ノブ
４          操作ノブ
４Ａ        操作ノブの操作部
４Ｂ        操作ノブのフランジ部
４ａ        操作ノブの凹溝
４ｂ        操作ノブのロッド連結部
４ｃ        コイルスプリング
５          第１のロータ（回転軸部）
５Ａ        第１のロータの軸筒部
５Ｂ        第１のロータのアーム部
５ａ        第１のロータの係合溝
５ｂ        第１のロータのピン
５ｃ        第１のロータのロッド挿通孔
６          第２のロータ（回転軸部）
６Ａ        第２のロータの円筒部
６Ｂ        第２のロータのアーム部
６ａ        第２のロータの係合溝
６ｂ        第２のロータのピン
７          操作ロッド（摺動軸部）
８          スイッチボディ
８ａ        スイッチボディの円筒部
９          スライダ
１０        カバー
１０ａ      カバーのコネクタ接続部
１１        スライドベース
１１ａ      スライドベースのスライド挿入孔
１１ｂ      スライドベースの円筒部
１２        第１のベース部材
１２ａ      第１のベース部材のカム溝
１３        第２のベース部材
１４        第１のスライド部材
１４ａ      第１のスライド部材のガイドリブ
１５        第２のスライド部材
１５ａ      第２のスライド部材のガイドリブ
１６        スプリング
１７        軸
１８        カムスプリング
１８ａ      カムスプリングの係合部
１９        フラッシャ用端子
２０        ライトスイッチ回路
２１        ハザードスイッチ回路
２２        フラッシャスイッチ回路
２３        防水部材
２３ａ      防水部材の鍔部
２４        Ｏリング
２５        スプリング
２６        スチールボール
２７        スプリング
２８        スチールボール
２９        取付用ナット
３０        操作ユニット
δ          隙間部
【図１】
2012033357.tif 000003
【図２】
2012033357.tif 000004
【図３】
2012033357.tif 000005
【図４】
2012033357.tif 000006
【図５】
2012033357.tif 000007
【図６】
2012033357.tif 000008
【図７】
2012033357.tif 000009
【図８】
2012033357.tif 000010
【図９】
2012033357.tif 000011
【図１０】
2012033357.tif 000012
【図１１】
2012033357.tif 000013
【図１２】
2012033357.tif 000014
【図１３】
2012033357.tif 000015